(57)【要約】【課題】複数の通信部におけるある通信部の取り外しが必要になった場合に、作業員が取り外し対象を容易に特定でき、故障が生じたが取り外し対象にしなくてもよいことも認識可能にする。【解決手段】通信装置１は、複数の通信部２と各通信部２を監視する制御を行う制御盤３とを備え、各通信部２は、障害を検出する障害検出部５と、状態を表示する状態表示部６と、障害の内容を制御盤３に通知する制御部７とを含み、制御盤３は、障害の内容を通知した制御部７が含まれる通信部２が取り外し対象に該当するか否かを判定し、該当する場合には取り外し対象である旨の表示を行うこと（取り外し表示）を当該通信部２に指示し、該当しない場合でも制御端末４から取り外し対象にすべきであることを示す信号を受信した場合に取り外し表示を当該通信部２に指示し、指示を受けた通信部２の状態表示部６は、取り外し表示をする。【選択図】図８
2011003141.tif 000002
【特許請求の範囲】
【請求項１】
複数の通信部と各通信部を監視する制御を行う制御盤とを備え、制御端末と通信可能な通信装置であって、
前記複数の通信部のそれぞれは、
前記通信部で発生した障害を検出する障害検出部と、
前記通信部の状態を表示する状態表示部と、
前記障害検出部が障害を検出すると、障害の内容を前記制御盤に通知する制御部とを含み、
前記制御盤は、障害の内容を通知した前記制御部が含まれる通信部が取り外し対象に該当するか否かを判定し、取り外し対象に該当すると判定した場合には取り外し対象である旨の表示を行うことを当該通信部に指示し、取り外し対象に該当しないと判定した場合には障害の内容を前記制御端末に送信し、前記制御端末から通信部を取り外し対象にすべきであることを示す信号を受信した場合に取り外し対象である旨の表示を行うことを当該通信部に指示し、
取り外し対象である旨の表示を行うことの指示を受けた通信部の状態表示部は、取り外し対象である旨の表示を行う
ことを特徴とする通信装置。
【請求項２】
制御盤は、制御部から通知された障害の内容と判定条件とを比較することによって、障害の内容を通知した前記制御部が含まれる通信部が取り外し対象に該当するか否かを判定する
請求項１記載の通信装置。
【請求項３】
制御盤は、通信部が取り外し対象に該当するか否かを判定するときに、制御端末から受信した判定条件を用いる
請求項２記載の通信装置。
【請求項４】
制御盤が障害が発生した通信部は取り外し対象に該当しないと判定した場合には、当該通信部の状態表示部は、障害が発生している旨の表示を行う
請求項１から請求項３のうちのいずれか１項に記載の通信装置。
【請求項５】
制御盤は、取り外し対象である旨の表示を行うことの指示先である通信部が、通信装置から取り外されたか否かを検出し、取り外されたことを検出した場合に、当該通信部が取り外されたことを制御端末に通知する
請求項１から請求項４のうちのいずれか１項に記載の通信装置。
【請求項６】
複数の通信部と各通信部を監視する制御を行う制御盤とを備えた通信装置と、通信装置と通信可能な制御端末とを含む通信システムにおける取り外し対象の通信部を特定する取り外し対象指定方法であって、
前記通信装置が、いずれかの通信部に障害が発生したことを検出すると、その通信部が取り外し対象に該当するか否かを判定し、
前記通信装置が、取り外し対象に該当すると判定した場合には取り外し対象である旨の表示を行い、取り外し対象に該当しないと判定した場合には障害の内容を前記制御端末に送信し、
前記制御端末が、前記通信装置から障害の内容を受信すると、通信部を取り外し対象にすべきであると判定した場合にその旨を示す信号を前記通信装置に送信し、
前記通信装置が、前記制御端末から通信部を取り外し対象にすべきであることを示す信号を受信した場合には取り外し対象である旨の表示を行う
ことを特徴とする取り外し対象指定方法。
【請求項７】
通信装置が、障害の内容と判定条件とを比較することによって、通信部が取り外し対象に該当するか否かを判定する
請求項６記載の取り外し対象指定方法。
【請求項８】
制御端末が、通信装置から障害の内容を受信すると、当該通信部が制御可能な状態であることを確認するための要求信号を前記通信装置に送信し、
前記通信装置が、前記要求信号を受信した場合に、当該通信部が制御可能であるか否か確認し、制御可能であることを確認したら前記制御端末に応答信号を送信し、
前記制御端末が、前記応答信号を受信したら、通信部を取り外し対象にすべきであることを示す信号を前記通信装置に送信する
請求項６または請求項７記載の取り外し対象指定方法。
【発明の詳細な説明】
【技術分野】
【０００１】
本発明は、複数の通信部を含む通信装置、および通信装置における取り外し対象の通信部を特定するための取り外し対象指定方法に関する。
【背景技術】
【０００２】
局舎などに設置された通信装置を管理する制御端末は、通常、局舎から物理的に離れた場所に設置されている。そして、管理者が、制御端末を用いて遠隔地から通信装置を監視する。そのため、通信装置の通信部に障害が発生するなどして通信部を取り外す必要が生じた場合には、作業員は、管理者と事前に連絡を取り合って、取り外し対象の通信部を特定するための情報を入手する。
【０００３】
しかし、取り外し対象の通信部を特定するための情報を入手しても、取り外し対象の通信部が複数ある場合に、作業員が取り外し対象の通信部を容易に判断することができないときには、作業員は、誤って正常な通信部を取り外してしまう（誤取り外し）可能性がある。また、正常な通信部が取り外されたときには、通信装置が提供する通信サービスに影響を与えてしまう可能性がある。
【０００４】
特許文献１には、故障と診断した場合に、故障箇所単位に対応して設けた表示器を点灯させて故障箇所の交換誤りを防止する診断処理装置が記載されている。特許文献１に記載された診断処理装置では、対応する故障交換単位に近接して表示器を設け、故障箇所が判明したら、対応する表示器を点灯することによって、交換するべき故障交換単位を示す。
【０００５】
なお、特許文献２には、端末装置におけるアラーム通報の設定条件を監視センタから変更することができる監視制御装置が記載されている。特許文献２に記載された監視制御装置では、電話回線を通じて監視センタから端末装置内の設定条件記憶手段の設定内容を変更することができるので、管理者が端末装置側に出向くことなく、端末装置におけるアラーム通報の設定条件を変更することができる。
【先行技術文献】
【特許文献】
【０００６】
【特許文献１】特開平２−１７３８３４号公報（第２頁右上欄第７行−第１８行）
【特許文献２】特開平７−１２３１６５号公報（段落０００５−０００８，段落００１７）
【発明の概要】
【発明が解決しようとする課題】
【０００７】
しかし、特許文献１に記載された診断処理装置では、故障交換単位に対応し、故障交換単位に近接して設けられた表示器を点灯させることによって、交換するべき故障交換単位を示すが、表示器の点灯は交換を行うべきであることを一義的に示す。すると、故障が生じたが、修理などを行った後に運用を継続した方がよい場合でも、交換を行うべきであるという指示をせざるを得ないことになる。
【０００８】
そこで、本発明は、複数の通信部におけるある通信部の取り外しが必要になった場合に、作業員が取り外し対象の通信部を容易に特定できる上に、故障が生じたが取り外しの対象にしなくてもよいことを作業員が認識することを可能にする通信装置、および取り外し対象指定方法を提供することを目的とする。
【課題を解決するための手段】
【０００９】
本発明による通信装置は、複数の通信部と各通信部を監視する制御を行う制御盤とを備え、制御端末と通信可能な通信装置であって、複数の通信部のそれぞれは、通信部で発生した障害を検出する障害検出部と、通信部の状態を表示する状態表示部と、障害検出部が障害を検出すると、障害の内容を制御盤に通知する制御部とを含み、制御盤は、障害の内容を通知した制御部が含まれる通信部が取り外し対象に該当するか否かを判定し、取り外し対象に該当すると判定した場合には取り外し対象である旨の表示を行うことを当該通信部に指示し、取り外し対象に該当しないと判定した場合には障害の内容を制御端末に送信し、制御端末から通信部を取り外し対象にすべきであることを示す信号を受信した場合に取り外し対象である旨の表示を行うことを当該通信部に指示し、取り外し対象である旨の表示を行うことの指示を受けた通信部の状態表示部は、取り外し対象である旨の表示を行うことを特徴とする。
【００１０】
本発明による取り外し対象指定方法は、複数の通信部と各通信部を監視する制御を行う制御盤とを備えた通信装置と、通信装置と通信可能な制御端末とを含む通信システムにおける取り外し対象の通信部を特定する取り外し対象指定方法であって、通信装置が、いずれかの通信部に障害が発生したことを検出すると、その通信部が取り外し対象に該当するか否かを判定し、通信装置が、取り外し対象に該当すると判定した場合には取り外し対象である旨の表示を行い、取り外し対象に該当しないと判定した場合には障害の内容を制御端末に送信し、制御端末が、通信装置から障害の内容を受信すると、通信部を取り外し対象にすべきであると判定した場合にその旨を示す信号を通信装置に送信し、通信装置が、制御端末から通信部を取り外し対象にすべきであることを示す信号を受信した場合には取り外し対象である旨の表示を行うことを特徴とする。
【発明の効果】
【００１１】
本発明によれば、複数の通信部におけるある通信部の取り外しが必要になった場合に、作業員が取り外し対象の通信部を容易に特定できる上に、故障が生じたが取り外しの対象にしなくてもよいことを作業員が認識することができる。
【図面の簡単な説明】
【００１２】
【図１】本発明による通信装置の第１の実施形態の構成を示すブロック図である。
【図２】図１に示す通信装置を含む通信システムの構成の一例を示すブロック図である。
【図３】図２に示す通信システムにおいて障害が発生した場合の動作を示すフローチャートである。
【図４】取り外し判定条件を設定する動作を示すシーケンス図である。
【図５】取り外し判定条件に基づいて、発生した障害が通信部を取り外し対象とする障害に該当すると判定される場合に行われる動作を示すシーケンス図である。
【図６】取り外し判定条件に基づいて、発生した障害が通信部を取り外し対象とする障害に該当しないと判定され、管理者によって当該通信部を取り外す必要があると判断された場合に行われる動作を示すシーケンス図である。
【図７】本発明による通信装置の第２の実施形態を含む通信システムにおける動作の一例を示すシーケンス図である。
【図８】本発明による通信装置の主要部を示すブロック図である。
【発明を実施するための形態】
【００１３】
実施形態１．
図１は、本発明による通信装置の第１の実施形態（実施形態１）の構成を示すブロック図である。図１を参照して、本発明の第１の実施形態の通信装置の構成を説明する。
【００１４】
通信装置１１は、制御盤１１１および１つ以上の通信部１１２Ａ，１１２Ｂを備えている。図１には、２つの通信部１１２Ａ，１１２Ｂが示されているが、通信装置１１は、３つ以上の通信部を含んでいてもよい。通信装置１１は、一例として、メディアコンバータ装置である。制御盤１１１は、それぞれの通信部１１２Ａ，１１２Ｂとの間で制御信号を送受信して、それぞれの通信部１１２Ａ，１１２Ｂを監視する。制御盤１１１は、例えば、プログラムに従って制御を行うＣＰＵを含む。制御盤１１１は、通信部１１２Ａ，１１２Ｂのうちのある通信部において障害が発生した場合に、発生した障害が通信部を取り外し対象とする障害であるか否かを判定する判定条件（取り外し判定条件）が設定されているときには、取り外し判定条件に従って判定を行い、判定結果に応じた制御を行う。取り外し判定条件は、例えば、通信装置１１の記憶部（図示せず）に格納される。取り外し判定条件は、一例として、通信部において故障が生じたことである。
【００１５】
通信部１１２Ａは、状態表示部１１３Ａ、通信部制御部１１４Ａおよび障害検出部１１５Ａを含む。状態表示部１１３Ａは、通信部制御部１１４Ａによる制御に従って、通信部１１２Ａの状態を表示する。状態表示部１１３Ａは、例えば、あらかじめ決められている幾つかの状態（例えば、障害が発生している状態や通信部を取り外すことが好ましい状態）のそれぞれに対応する色を表示する発光部材や、状態を示す文字を表示可能なＬＥＤ表示器やＬＣＤで実現される。通信部制御部１１４Ａは、通信部１１２Ａの各部を制御する。通信部制御部１１４Ａは、例えば、プログラムに従って制御を行うＣＰＵを含む。障害検出部１１５Ａは、通信部１１２Ａまたは通信部１１２Ａが検出できる範囲で発生した障害を検出して通信部制御部１１４Ａに障害の発生を通知する。
【００１６】
通信部１１２Ｂは、状態表示部１１３Ｂ、通信部制御部１１４Ｂおよび障害検出部１１５Ｂを含む。状態表示部１１３Ｂ、通信部制御部１１４Ｂおよび障害検出部１１５Ｂは、通信部１１２Ａにおける状態表示部１１３Ａ、通信部制御部１１４Ａおよび障害検出部１１５Ａと同じ機能を果たす。
【００１７】
図２は、図１に示す通信装置を含む通信システムの構成の一例を示すブロック図である。
【００１８】
管理者１２は、制御端末１３の操作部（図示せず）から入力操作を行ったり、制御端末１３の表示部（図示せず）に出力される表示を見たりして、遠隔地から通信装置１１の状態を監視する。制御端末１３は、通信装置１１と有線または無線を介して通信が可能である。制御端末１３は、通信装置１１に取り外し判定条件を設定する要求を送信したり、通信装置１１から取り外し対象とする通信部の情報を受信して、例えば、制御端末の表示部に応答結果を表示したりする。制御端末１３は、例えば、プログラムに従って制御を行うＣＰＵを含む。作業員１４は、取り外し対象と判定された通信部を取り外すなどの保守を行う。
【００１９】
図３は、図２に示す通信システムにおいて障害が発生した場合の動作を示すフローチャートである。図３を参照して、図２に示す通信システムにおいて障害が発生した場合の動作を説明する。
【００２０】
まず、制御端末１３は、管理者１２による入力操作に応じて、取り外し判定条件を制御盤１１１に送信する。制御盤１１１は受信した取り外し判定条件を設定する（ステップＳ１００１）。ステップＳ１００１における動作については、図４を参照して詳述する。
【００２１】
次に、制御盤１１１は、通信部１１２Ａ，１１２Ｂの状態を監視して障害の発生を検出する（ステップＳ１００２）。通信部１１２Ａ，１１２Ｂに障害が発生しなければ（ステップＳ１００２のＮ）、制御部１１１は、通信部１１２Ａ，１１２Ｂの監視を続ける。
【００２２】
以下、通信部１１２Ａに関する障害を例にする。通信部１１２Ａに障害が発生した場合には（ステップＳ１００２のＹ）、制御盤１１１は、通信部１１２Ａの状態表示部１１３Ａに障害発生を示す所定の表示（障害発生表示）を行わせる（ステップＳ１００３）。なお、制御部１１１は、通信部１１２Ｂにおいて障害が発生したことを検出した場合には、状態表示部１１３Ａに障害発生表示を行わせる。
【００２３】
ステップＳ１００３において障害発生表示を行わせると、制御盤１１１は、取り外し条件に基づいて、通信部１１２Ａを取り外し対象とする障害に該当するか否か判定する（ステップＳ１００４）。
【００２４】
制御盤１１１は、発生した障害が通信部を取り外し対象とする障害に該当すると判定した場合には（ステップＳ１００４のＹ）、通信部１１２Ａの状態表示部１１３Ａに、取り外し対象であることを示す所定の表示（取り外し対象表示）を行わせる（ステップＳ１００５）。図３には、その後、通信部１１２Ａが、作業員１４によって取り外されたことが示されている（ステップＳ１００６）。障害に該当すると判定した後の動作については、図５を参照して詳述する。
【００２５】
発生した障害が通信部を取り外し対象とする障害に該当しない場合には（ステップＳ１００４のＮ）、制御盤１１１は、発生した障害の内容を制御端末１３に通知する。制御端末１３は、通知された障害の内容を表示部に表示する。管理者１２は、表示された障害の内容を見て、通信部１１２Ａを取り外す必要があるか否かを判断する（ステップＳ１００７）。
【００２６】
ステップＳ１００７において、管理者１２が通信部１１２Ａを取り外す必要があると判断する障害の内容として、例えば、通信部１１２Ａに何らかの障害（取り外し判定条件に含めるほどの重大な障害ではないとする。）が発生して通信異常が検出された場合が考えられる。通信異常に対して早急な復旧が求められるので、管理者１２は、障害が発生している通信部１１２Ａを取り外す必要があると判断する。
【００２７】
通信部１１２Ａを取り外す必要があると管理者１２が判断した場合には（ステップＳ１００７のＹ）、管理者１２は、制御端末１３を介して、制御盤１１１に、状態表示部１１３Ａを取り外し対象表示を行う状態にするよう要求する信号を送信する。制御盤１１１は、通信部１１２Ａの状態表示部１１３Ａに、取り外し対象であることを示す所定の表示（取り外し対象表示）を行わせる（ステップＳ１００５）。
【００２８】
通信部１１２Ａを取り外す必要はないと管理者１２が判断した場合には（ステップＳ１００７のＮ）、制御端末１３から制御盤１１１に対して取り外しに関する信号は送信されない。よって、制御盤１１１は、ステップＳ１００２における通信部１１２の状態を監視する動作に戻る。
【００２９】
図４は、取り外し判定条件を設定する動作を示すシーケンス図である。図４を参照して、図１に示す通信装置１１の制御盤１１１に取り外し判定条件を設定する動作（図３のステップＳ１００１における動作に相当）を詳細に説明する。
【００３０】
管理者１２は、取り外し判定条件を制御端末１３の操作部から入力する（ステップＳ２００１）。制御端末１３は、操作部から入力された取り外し判定条件を制御盤１１１に反映させるための判定条件設定要求を制御盤１１１に送信する（ステップＳ２００２）。制御盤１１１は、制御端末１３から受信した判定条件設定要求に従って、取り外し判定条件を設定する（ステップＳ２００３）。
【００３１】
制御盤１１１は、取り外し判定条件を設定すると、取り外し判定条件が正常に設定されたことを制御端末１３に応答する（ステップＳ２００４）。制御端末１３は、制御盤１１１から受信した応答結果を表示部に表示する(ステップＳ２００５)。管理者１２は、制御端末１３の表示部に表示された応答結果から、制御盤１１１に取り外し判定条件が正常に設定されたことを確認する(ステップＳ２００６)。
【００３２】
図５は、取り外し判定条件に基づいて、発生した障害が通信部を取り外し対象とする障害に該当すると判定される場合に行われる動作を示すシーケンス図である。図５を参照して、取り外し判定条件に基づいて通信部１１２Ａが取り外し対象と判定された場合に行われる動作（図３のステップＳ１００４のＹ以降の動作に相当）を詳細に説明する。
【００３３】
通信部１１２Ａに障害が発生すると、障害検出部１１５Ａは、障害を検出し、検出した障害に関する障害情報を通信部制御部１１４Ａに通知する（ステップＳ３００１）。通信部制御部１１４Ａは、障害検出部１１５Ａから通知された障害情報を制御盤１１１に送信する。制御盤１１１は、取り外し判定条件に基づいて、通信部制御部１１４Ａから受信した障害情報が示す障害が、通信部を取り外し対象とする障害に該当すると判定する。
【００３４】
制御盤１１１は、通信部制御部１１４Ａに、通信部１１２Ａを取り外し対象として状態表示部１１３Ａに取り外し対象表示を行わせるよう要求する。通信部制御部１１４Ａは、制御盤１１１からの要求に従って、状態表示部１１３Ａに取り外し対象表示を行わせる（ステップＳ３００２）。
【００３５】
そして、制御盤１１１は、通信部１１２Ａにおける障害情報および状態表示部１１３Ａに表示させた表示内容などを通信部情報として制御端末１３に送信する（ステップＳ３００３）。制御端末１３は、制御盤１１１から受信した通信部情報を表示部に表示する（ステップＳ３００４）。管理者１２は、制御端末１３の表示部に表示された通信部情報から、通信部１１２Ａにおいて障害が発生し、状態表示部１１３Ａに取り外し対象表示がなされていることを確認する(ステップＳ３００５)。
【００３６】
作業員１４は、通信部１１２Ａの状態表示部１１３Ａに取り外し対象表示がなされていることを確認すると（ステップＳ３００６）、通信部１１２Ａを取り外す（ステップＳ３００７）。制御盤１１１は、通信部１１２Ａが取り外されたことを検出する（ステップＳ３００８）。
【００３７】
制御盤１１１は、それぞれの通信部１１２の通信部制御部１１４に対してポーリングを行い、それぞれの通信部制御部１１４から応答があるか確認をしている。制御部１１１は、応答がある通信部制御部の通信部は通信装置１１に接続されていると判断し、応答がない通信部制御部の通信部は通信装置１１に接続されていないと判断する。ステップＳ３００７において通信部１１２Ａが取り外されると、通信部制御部１１４Ａからの応答がなくなる。制御盤１１１は、応答がなくなったことを確認することによって、それまで通信装置１１に接続されていた通信部１１２Ａが接続されていない状態になったことを検出できる。
【００３８】
制御盤１１１は、通信部１１２Ａが取り外されたという情報を制御端末１３に送信する（ステップＳ３００９）。制御端末１３は、制御盤１１１から情報を受信すると、通信部１１２Ａが取り外されたことを表示部に表示する（ステップＳ３０１０）。管理者１２は、制御端末１３の表示部に表示された通信部情報から、取り外し対象と判定された通信部１１２Ａが取り外されたことを確認する(ステップＳ３０１１)。
【００３９】
図６は、取り外し判定条件に基づいて、発生した障害が通信部を取り外し対象とする障害に該当しないと判定され、管理者によって当該通信部を取り外す必要があると判断された場合に行われる動作を示すシーケンス図である。図６を参照して、取り外し判定条件に基づいて、発生した障害が通信部を取り外し対象とする障害に該当しないと判定され、管理者によって当該通信部を取り外す必要があると判断された場合に行われる動作（図３のステップＳ１００４〜ステップＳ１００７のＹ〜ステップＳ１００６における動作に相当）を詳細に説明する。
【００４０】
通信部１１２Ａに障害が発生すると、障害検出部１１５Ａは、障害を検出し、検出した障害に関する障害情報を通信部制御部１１４Ａに通知する（ステップＳ４００１）。通信部制御部１１４Ａは、障害検出部１１５Ａから通知された障害情報を制御盤１１１に送信する。制御盤１１１は、取り外し判定条件に基づいて、通信部制御部１１４Ａから受信した障害情報が示す障害が、通信部を取り外し対象とする障害に該当しないと判定する。
【００４１】
制御盤１１１は、通信部制御部１１４Ａに、通信部１１２Ａを取り外し対象としないことを通知する。通信部制御部１１４Ａは、制御盤１１１からの通知に従って、状態表示部１１２Ａに障害発生表示を行わせる（ステップＳ４００２）。
【００４２】
そして、制御盤１１１は、通信部１１２Ａにおける障害情報および状態表示部１１３Ａに表示させた表示内容などを通信部情報として制御端末１３に送信する（ステップＳ４００３）。制御端末１３は、制御盤１１１から受信した通信部情報を表示部に表示する（ステップＳ４００４）。管理者１２は、制御端末１３の表示部に表示された通信部情報から、通信部１１２Ａにおいて障害が発生し、状態表示部１１３Ａが障害発生表示を表示していることを確認する（ステップＳ４００５）。
【００４３】
管理者１２は、表示された障害の内容を見て、通信部１１２Ａを取り外す必要があると判断した場合に、制御端末１３の操作部に、通信部１１２Ａが制御盤１１１によって正常に制御できる状態であるか確認することを要求するセットアップ要求を入力する（ステップＳ４００６）。制御端末１３は、セットアップ要求を制御盤１１１に送信する（ステップＳ４００７）。
【００４４】
制御盤１１１は、セットアップ要求を受信すると、取り外し対象の通信部１１２Ａが制御可能であるか否かを確認する。例えば、制御盤１１１は、状態表示部１１３Ａを制御している通信部制御部１１４Ａの所定のレジスタをリード／ライトする。レジスタのリード／ライトの結果、期待値通りの値または動作が確認できた場合には、制御盤１１１は、通信部１１２Ａを正常に制御可能であると判断する。制御盤１１１は、正常に制御可能であるか否か、それぞれの通信部１１２に対して確認することができる。制御盤１１１は、通信部１１２Ａの通信部制御部１１４Ａを正常に制御できることを確認すると、通信部１１２Ａが正常であることを示すセットアップ応答を制御端末１３に送信する（ステップＳ４００８）。
【００４５】
制御端末１３は、制御盤１１１からセットアップ応答を受信すると、セットアップ応答結果を表示部に表示する（ステップＳ４００９）。管理者１２は、表示部に表示されたセットアップ応答を示すセットアップ応答結果を見て、取り外し対象とした通信部１１２Ａの制御機能に関して異常がないことを確認する（ステップＳ４０１０）。
【００４６】
また、制御端末１３は、制御盤１１１からセットアップ応答を受信すると、制御盤１１１に、状態表示部１１３Ａを取り外し対象表示を行う状態にするよう要求する（ステップＳ４０１１）。通信部制御部１１４Ａは、制御盤１１１を介した制御端末１３からの要求に従って、状態表示部１１３Ａに取り外し対象表示を行わせる（ステップＳ４０１２）。なお、制御盤１１１が通信部制御部１１４Ａを正常に制御できない状態にあって、制御端末１３が制御盤１１１からセットアップ応答を受信できない場合には、制御機能の正常性が保障できないため、ステップＳ４０１１の処理を実施しない。
【００４７】
ステップＳ４０１２において、状態表示部１１３Ａに取り外し対象表示がなされると、制御盤１１１は、状態表示部１１３Ａに取り外し対象表示をさせたことを示す応答を制御端末１３に返す（ステップＳ４０１３）。制御端末１３は、制御盤１１１からの応答を受信すると、応答結果を表示部に表示する（ステップＳ４０１４）。管理者１２は、表示部に表示された応答結果を見て、取り外し対象とした通信部１１２Ａの状態表示部１１３Ａに取り外し対象表示がなされていることを確認する（ステップＳ４０１５）。
【００４８】
作業員１４は、通信部１１２Ａの状態表示部１１３Ａに取り外し対象表示がなされていることを確認すると（ステップＳ４０１６）、通信部１１２Ａを取り外す（ステップＳ４０１７）。
【００４９】
なお、作業員１４が状態表示部１１３Ａに取り外し対象表示がなされていることを確認した後の動作（図６のステップＳ４０１６〜Ｓ４０２１）は、図５に示された一連の動作のうち、作業員１４が状態表示部１１３Ａに取り外し対象表示がなされていることを確認した後の動作（図５のステップＳ３００６〜Ｓ３０１１に相当）と同じである。
【００５０】
このような通信装置１１を含む通信システムでは、取り外し判定条件に基づく判定や管理者による判断によって、通信部１１２の状態表示部１１３に取り外し対象表示を行わせるので、作業員１４が取り外しをする際に、取り外し対象である通信部（例えば、通信部１１２Ａ）を判断することが容易となり、誤って他の通信部を取り外してしまうこと（誤取り外し）を防止できる。
【００５１】
また、このような通信装置１１を含む通信システムでは、通信部１１２Ａに障害が発生し、取り外し判定条件に基づく判定によって通信部１１２Ａを取り外し対象と判定する場合には、自動的に通信部１１２Ａの状態表示部１１３Ａに取り外し対象表示を行わせるので、作業員１４は、管理者１２と連絡を取り合う必要なしに取り外し対象の通信部１１２Ａを認識することができる。そして、作業員１４は、自主的に取り外しをすることが可能となり、迅速に障害を復旧する効果が期待できる。
【００５２】
また、このような通信装置１１を含む通信システムでは、取り外し判定条件に基づく判定によって、通信部１１２Ａを取り外し対象と判定しない場合であっても、管理者１２が通信部１１２Ａを取り外す必要があると判断したときには、通信部１１２Ａの状態表示部１１３Ａに取り外し対象表示を行わせることができるので、通信装置１１の管理面の利便性を向上することができる。そして、状態表示部１１３Ａに障害発生表示が表示されたままの通信部１１２Ａに対して管理者が取り外し対象とするか否かの判断をすることによって、作業員１４は、取り外す必要がある通信部１１２Ａを容易に認識することができ、誤取り外しを防止することができる。さらに、取り外し対象の通信部１１２Ａが正常に制御可能な状態にあるときのみ、状態表示部１１３Ａに取り外し対象表示を行わせるので、実際には取り外し対象表示を行うことができなかったり取り外しの検出ができなかったりするにも関わらず、通信部制御部１１４Ａに対して取り外しに関する指示を出してしまうことはない。
【００５３】
実施形態２．
図７は、本発明による通信装置の第２の実施形態（実施形態２）を含む通信システムにおける動作の一例を示すシーケンス図である。本発明による第２の実施形態の通信装置を含む通信システムの構成は、図２に示す第１の実施形態の通信装置を含む通信システムの構成と同じである。ただし、通信装置には取り外し判定条件が設定されていなくてもよい。なお、第２の実施形態でも、通信部１１２Ａの取り外しを例にする。
【００５４】
本発明による第２の実施形態の通信装置を含む通信システムでは、例えば、通信部１１２Ａにおいてソフトウェアまたはハードウェアのグレードアップが行われて、通信部１１２Ａを取り外す必要が生じたとする。図７を参照して、本発明の第２の実施形態の通信装置１１において通信部１１２Ａを取り外す動作を説明する。
【００５５】
管理者１２は、制御端末１３の操作部に、取り外し対象とする通信装置１１の通信部１１２Ａを指定して、通信部１１２Ａが制御盤１１１によって正常に制御できる状態であるか確認することを要求するセットアップ要求入力する（ステップＳ５００１）。制御端末１３は、セットアップ要求を制御盤１１１に送信する（ステップＳ５００２）。
【００５６】
制御盤１１１は、セットアップ要求を受信すると、取り外し対象の通信部１１２Ａが制御可能であるか否かを確認する。制御盤１１１は、通信部１１２Ａの通信部制御部１１４Ａを正常に制御できることを確認すると、通信部１１２Ａが正常であることを示すセットアップ応答を制御端末１３に送信する（ステップＳ５００３）。
【００５７】
制御端末１３は、制御盤１１１からセットアップ応答を受信すると、セットアップ応答結果を表示部に表示する（ステップＳ５００４）。管理者１２は、表示部に表示されたセットアップ応答を示すセットアップ応答結果を見て、取り外し対象とした通信部１１２Ａの制御機能に関して異常がないことを確認する（ステップＳ５００５）。
【００５８】
制御端末１３は、制御盤１１１からセットアップ応答を受信すると、制御盤１１１に、状態表示部１１３Ａを取り外し対象表示を行う状態にするよう要求する（ステップＳ５００６）。通信部制御部１１４Ａは、制御盤１１１を介した制御端末１３からの要求に従って、状態表示部１１３Ａに取り外し対象表示を行わせる（ステップＳ５００７）。なお、制御盤１１１が通信部制御部１１４Ａを正常に制御できない状態にあって、制御端末１３が制御盤１１１からセットアップ応答を受信できない場合には、制御機能の正常性が保障できないため、ステップＳ５００６の処理を実施しない。
【００５９】
ステップＳ５００７において、状態表示部１１３Ａに取り外し対象表示がなされると、制御盤１１１は、状態表示部１１３Ａに取り外し対象表示をさせたことを示す応答を制御端末１３に返す（ステップＳ５００８）。制御端末１３は、制御盤１１１からの応答を受信すると、応答結果を表示部に表示する（ステップＳ５００９）。管理者１２は、表示部に表示された応答結果を見て、取り外し対象とした通信部１１２Ａの状態表示部１１３Ａに取り外し対象表示がなされていることを確認する（ステップＳ５０１０）。
【００６０】
作業員１４は、通信部１１２Ａの状態表示部１１３Ａに取り外し対象表示がなされていることを確認すると（ステップＳ５０１１）、通信部１１２Ａを取り外す（ステップＳ５０１２）。通信部１１２Ａが取り外されると、制御部１１１は、ステップＳ３００８の処理と同様の処理で、通信部１１２Ａが取り外されたことを検出する（ステップＳ５０１３）。
【００６１】
制御盤１１１は、通信部１１２Ａが取り外されたという情報を制御端末１３に送信する（ステップＳ５０１４）。制御端末１３は、制御盤１１１から情報を受信すると、通信部１１２Ａが取り外されたことを表示部に表示する（ステップＳ５０１５）。管理者１２は、制御端末１３の表示部に表示された通信部情報から、取り外し対象と判定された通信部１１２Ａが取り外されたことを確認する(ステップＳ５０１６)。
【００６２】
このような通信装置１１を含む通信システムでは、障害が発生した通信部を取り外すか否かを判定するための取り外し判定条件が制御盤に設定されていなくても、制御端末１３を用いて遠隔地から通信装置１１の通信部１１２Ａの状態表示部１１３Ａの表示状態を制御することができる。そして、管理者が取り外したい通信部（例えば、通信部１１２Ａ）を指定することにより、当該通信部１１２Ａの状態表示部１１３Ａに取り外し対象表示を行わせるので、取り外す必要のある通信部１１２Ａを、遠隔から作業員１４に提示することができる。
【００６３】
なお、第１の実施形態または第２の実施形態の通信装置を含む通信システムでは、管理者が障害情報の確認や応答結果の確認を行ったが、制御端末１３が、取り外しを行うべきか否かの判断を行ってもよい。その場合には、例えば、障害の内容と取り外しを行うべきか否かを示す情報とが対応付けられて設定されたテーブルが制御端末１３における記憶装置に保存され、制御端末１３におけるＣＰＵが、受信した障害の内容とテーブルを用いて取り外しを行うべきか否か判断し、取り外しを行うべきであると判断したときに、制御盤１１１に、状態表示部１１３を取り外し対象表示を行う状態にするよう要求する信号を送信する。
【００６４】
図８は、本発明による通信装置の主要部を示すブロック図である。図８に示すように、通信装置１（例えば、図１に示す通信装置１１に相当）は、複数の通信部２（例えば、図１に示す通信部１１２に相当）と各通信部２を監視する制御を行う制御盤３（例えば、図１に示す制御盤１１１に相当）とを備え、制御端末４（例えば、図２に示す制御端末１３に相当）と通信可能な通信装置であって、複数の通信部２のそれぞれは、通信部２で発生した障害を検出する障害検出部５（例えば、図１に示す障害検出部１１５に相当）と、通信部２の状態を表示する状態表示部６（例えば、図１に示す状態表示部１１３に相当）と、障害検出部５が障害を検出すると、障害の内容を制御盤３に通知する制御部７（例えば、図１に示す通信部制御部１１４に相当）とを含み、制御盤３は、障害の内容を通知した制御部７が含まれる通信部２が取り外し対象に該当するか否かを判定し、取り外し対象に該当すると判定した場合（例えば、図３のステップＳ１００４のＹに相当）には取り外し対象である旨の表示を行うことを当該通信部２に指示し、取り外し対象に該当しないと判定した場合（例えば、図３のステップＳ１００４のＮに相当）には障害の内容を制御端末４に送信し、制御端末４から通信部２を取り外し対象にすべきであることを示す信号を受信した場合（例えば、図３のステップＳ１００７のＹに相当）に取り外し対象である旨の表示を行うことを当該通信部２に指示し、取り外し対象である旨の表示を行うことの指示を受けた通信部２の状態表示部６は、取り外し対象である旨の表示（例えば、第１の実施形態の通信装置における取り外し対象表示に相当）を行うように構成されている。
【００６５】
また、上記の各実施形態には、以下の（１）〜（４）に示すような通信装置も開示されている。
【００６６】
（１）制御盤は、制御部から通知された障害の内容と判定条件とを比較することによって、障害の内容を通知した前記制御部が含まれる通信部が取り外し対象に該当するか否かを判定する（例えば、図３のステップＳ１００４における動作によって実現される。）通信装置。
【００６７】
（２）制御盤は、通信部が取り外し対象に該当するか否かを判定するときに、制御端末から受信した判定条件（例えば、図４のステップＳ２００２〜Ｓ２００４における動作によって、第１の実施形態の通信装置１１に設定される取り外し判定条件に相当）を用いる通信装置。
【００６８】
（３）制御盤が障害が発生した通信部は取り外し対象に該当しないと判定した場合には、当該通信部の状態表示部は、障害が発生している旨の表示（例えば、第１の実施形態の通信装置における障害発生表示に相当）を行う通信装置。
【００６９】
（４）制御盤は、取り外し対象である旨の表示を行うことの指示先である通信部が、通信装置から取り外されたか否かを検出し、取り外されたことを検出した場合に、当該通信部が取り外されたことを制御端末に通知する（例えば、図５のステップＳ３００７〜Ｓ３００９における動作によって実現される。）通信装置。
【産業上の利用可能性】
【００７０】
本発明を、電気通信事業者などで使用される通信装置といった用途に適用できる。
【符号の説明】
【００７１】
１      通信装置
２      通信部
３      制御盤
４      制御端末
５      障害検出部
６      状態表示部
７      制御部
１１    通信装置
１２    管理者
１３    制御端末
１４    作業員
１１１  制御盤
１１２Ａ，１１２Ｂ  通信部
１１３Ａ，１１３Ｂ  状態表示部
１１４Ａ，１１４Ｂ  通信部制御部
１１５Ａ，１１４Ｂ  障害検出部
【図１】
2011003141.tif 000003
【図２】
2011003141.tif 000004
【図３】
2011003141.tif 000005
【図４】
2011003141.tif 000006
【図５】
2011003141.tif 000007
【図６】
2011003141.tif 000008
【図７】
2011003141.tif 000009
【図８】
2011003141.tif 000010